(57)【要約】【課題】本発明は、保管や運搬に便利で、しかも耐衝撃性に強く、枠組が簡単なゴム製耐衝撃用保護板を提供する。【解決手段】本発明は、ゴムチップをバインダーで固めた四角状の保護板本体（１）と、その保護板本体（１）内に埋設する補強部材（２）と、該補強部材（２）と固着し前記保護板本体（１）の裏面（1a）側に埋設した複数の高ナット（３）とから成るものであり、また、前記補強部材（２）を網状に組んだ鉄筋棒がよく、且つ、高ナット（３）を保護板本体（１）の少なくとも四隅に設けるのがよい。【選択図】図１
2009249916.tif 000002
【特許請求の範囲】
【請求項１】
ゴムチップをバインダーで固めた四角状の保護板本体（１）と、該保護板本体（１）内に埋設する補強部材（２）と、該補強部材（２）と固着し、前記保護板本体（１）の裏面（1a）側に埋設した複数の高ナット（３）とから成ることを特徴とするゴム製耐衝撃用保護板。
【請求項２】
前記補強部材（２）が、網状に組んだ鉄筋棒である請求項１記載のゴム製耐衝撃用保護板。
【請求項３】
前記高ナット（３）が、少なくとも前記保護板本体（１）の四隅に設けた請求項１又は２記載のゴム製耐衝撃用保護板。
【発明の詳細な説明】
【技術分野】
【０００１】
本発明は、コンクリート製で岩石や流木により衝撃を受ける砂防ダム、橋脚等のコンクリート構造物を施工する際に、コンクリート構造物の衝撃を受ける表面を保護するため、コンクリート構造物に壁板として固着させるゴム製耐衝撃用保護板に関する。
【背景技術】
【０００２】
従来、砂防ダムや橋脚等のコンクリート構造物を岩石や流木等の衝突から保護するために、ゴム製の保護部材がコンクリート構造物の表面に固着されている。この保護部材としては、特開２００３−２３９２５６号に開示されたゴム製耐衝撃用残存型枠においては、型枠部材の裏面から多数の直棒状の結合部材を突出させたものである。
【特許文献１】特開２００３−２３９２５６号公報
【発明の開示】
【発明が解決しようとする課題】
【０００３】
上記従来のゴム製耐衝撃用残存形枠は、コンクリート構造物に固着させた状態において、充分な耐衝撃性及び耐久性を有するが、多数本の結合部材が型枠部材から突出しているため、保管や運搬時に嵩張り、そのための保管スペースが余分に必要となり、また運搬時においても結合部材が邪魔となり積み下ろしに手間を要し、これらの費用が嵩む問題点を有していた。
【０００４】
また、前記残存型枠においては、枠組の際にこの残存型枠同志や他の残存型枠との接続が難しい。つまり、突出した状態の前記結合部材に連結部材を溶接して接続する枠組となり、枠組した状態が正確性を欠き、且つ、手間を要していた。
【０００５】
本発明は、前記問題点に鑑み、保管や運搬に便利で、しかも耐衝撃性に強いゴム製耐衝撃用保護板を提供することを目的とする。
【０００６】
本発明の他の目的は、コンクリート構造物の施工において本発明の保護板を残存型枠として使用する際に、それ自体同志や他のコンクリート製の残存型枠との接続が容易で、且つ強固で正確な枠組ができるゴム製耐衝撃用保護板を提供するにある。
【課題を解決するための手段】
【０００７】
本発明は、ゴムチップをバインダーで固めた四角状の保護板本体（１）と、その保護板本体（１）内に埋設する補強部材（２）と、該補強部材（２）と固着し前記保護板本体（１）の裏面（1a）側に埋設した複数の高ナット（３）とから成るものである。
【０００８】
又、前記補強部材（２）が、網状に組んだ鉄筋棒であるのが好ましい。この場合には、ゴムチップをバインダーで固めて保護板本体（１）を成形する際に、鉄筋棒を網状に組んだことにより、バインダーを混ぜ合せたゴムチップが補強部材（２）の網目を通過でき、成形金型内に充分行き渡るため、空洞のない強固な保護板本体（１）が成形できる。
【０００９】
又、前記高ナット（３）が、少なくとも保護板本体（１）の四隅に設けるのが好ましい。これにより、保護板本体（１）とコンクリート構造物との固着性や枠組時に段積した保護板本体（１）を連結する場合にも、四隅に設けた高ナット（３）を利用して、接続金具（４）とボルト（５）でもって容易に連結できる（図３参照）。
【００１０】
本発明でいう保護板本体（１）の裏面（1a）側に埋設したとは、高ナット（３）が保護板本体（１）の裏面（1a）から突出せずに雄ネジと螺合可能に埋設した状態をいう。
【発明の効果】
【００１１】
本発明は、保護板本体（１）に補強部材（２）を埋設し、高ナット（３）を保護板本体（１）の裏面（1a）と面一に埋設したことにより、保護板本体（１）から突出したものがないため、本発明の完成した保護板を製品として保管したり運搬したりする際に嵩張らず場所を取らないため、保管や運搬が容易でそのための費用も安価となる。
【００１２】
また、保護板本体（１）に高ナット（３）を固着させたことにより、この高ナット（３）は、保護板本体（１）を残存型枠として使用する際、段積した互いの保護板本体（１）を接続するのに、四隅の高ナット（３）を利用して接続金具（４）とボルト（５）で容易に接続させることができると共に、高ナット（３）にネジ棒（６）を螺合させ、保護板本体（１）の裏面（1a）から突出させることにより、保護板本体（１）とコンクリート構造物とを強固に固着させることが可能となる。要するに、高ナット（３）を設けたことにより、この高ナット（３）を利用して種々のネジ部材が取付けられるため、枠組時の保護板本体（１）の接続の容易さと、保護板本体（１）とコンクリート構造物との強固な結合を同時に満足するものである。
【発明を実施するための最良の形態】
【００１３】
以下、本発明の実施形態につき図を基に説明する。図１は本発明の断面図、図２は本発明の平面図、図３は本発明の使用状態を示す説明図である。
【００１４】
図１、２において、（１）はゴムチップをバインダーで固めた四角状の保護板本体であり、ゴムチップとしては廃ゴム、特には廃タイヤが耐衝撃性に優れ、また、リサイクル化の促進及び安価な点で好ましい。また、バインダーはゴムチップを結合させるための接合剤であり、これにはウレタン系，アクリル系，エポキシ系等の接合剤が使用され、特にはウレタン系が耐衝撃性の点で好ましい。
【００１５】
（２）は補強部材であり、該補強部材（２）は、金属製で棒状のものを粗い網目の網状に組んで前記保護板本体（１）内に完全に埋設させている。
【００１６】
そして、この補強部材（２）は、鉄筋棒で網状に組んだものが、安価で強度的にも強く、特に鉄筋棒は断面が丸棒で角がないため、保護板本体（１）内に埋設した状態で保護板本体（１）に衝撃力が加わっても、補強部材（２）による保護板本体（１）の損傷が極めて少なく、保護板本体（１）の耐久性の面でも好ましい。
【００１７】
また、補強部材（２）を保護板本体（１）内に埋設する箇所としては、保護板本体（１）の厚さに対し、その裏面（1a）側から約３分の１の所に設けるのが保護板本体（１）の耐衝撃性の面で好ましい。つまり、保護板本体（１）の表面（1b）と補強部材（２）との距離を多くすることにより、保護板本体（１）のクッション性を高め耐衝撃性を向上させられる。
【００１８】
また、補強部材（２）には、表面防錆処理を施すのが良く、この防錆処理としては、ダブルコートカチオン電着塗装が好ましい。
【００１９】
（３）は金属製の高ナットであり、この高ナット（３）は一端を補強部材（２）に溶接して固着させ、他端が保護板本体（１）の裏面（1a）と面一又は少し凹ませて複数本埋設したものである。この高ナット（３）は、鉄製、好ましくはステンレス製のものであるが、他の非鉄金属でもよい。
【００２０】
更に、高ナット（３）は、少なくとも四角状の保護板本体（１）の四隅に設け、他の位置には保護板本体（１）の大きさに応じて適宜に追加して設けるのがよい。この高ナット（３）を四隅に設ける保護板本体（１）は、基本的に量産する定尺寸法のものを対象とし、特殊な寸法の保護板本体（１）においては、それに応じた本数の高ナット（３）を適宜箇所に設けるとよい。そして高ナット（３）を四隅に設けると、その高ナット（３）を利用して保護板本体（１）を枠組する際に接続が簡単となる。
【００２１】
この高ナット（３）には、ネジ棒（６）やボルト（５）が螺合し、コンクリート構造物を施工する際に、保護板本体（１）の取付けや残存型枠としての枠組を可能と成す。
【００２２】
次に、本発明の保護板の使用状態につき、図３を基に説明すると、この図３においてはコンクリート構造物の砂防ダム（Ａ）に使用する場合であり、本発明の保護板は砂防ダム（Ａ）の上部排水口の回りに使用される。この砂防ダム（Ａ）を施工する際に、上部排水口の側面箇所に本発明の保護板を接続金具（４）とボルト（５）で接続し段積して枠組する。この枠組において、保護板本体（１）の四隅に設けた高ナット（３）を利用し、それにボルト（５）を螺合することにより容易に枠組ができる。また、枠組した状態で保護板本体（１）の四隅以外の高ナット（３）にはネジ棒（６）を螺合し突出させておく。そしてこの枠組内に生コンクリートを打設後、その生コンクリートが固化しない間に、高ナット（３）にネジ棒（６）を螺合させた本発明の他の保護板を使用し、その突出したネジ棒（６）を打設した生コンクリート内に押し込んで上記排水口の上面に設置する。これにより、砂防ダム（Ａ）の排水口は、生コンクリートが固化後に、その上流側の側面と上面が本発明のゴム製の保護板で完全に保護される。
【図面の簡単な説明】
【００２３】
【図１】本発明の保護板の断面図である。
【図２】本発明の保護板の平面図である。
【図３】本発明の保護板の使用状態を示す説明図である。
【符号の説明】
【００２４】
１  保護板本体
1a  裏面
２  補強部材
３  高ナット
【図１】
2009249916.tif 000003
【図２】
2009249916.tif 000004
【図３】
2009249916.tif 000005